(57)【要約】  【課題】  良好な体圧分散性と、無理のない寝姿勢と、寝返りのしやすさとを同時に実現することができるマットレスを提供する。  【解決手段】  人体と面する側の表面に凹部１５が形成されているベース１２の、該凹部１５の底面は、人体の平均的な寝姿勢に近似した曲面１４とされている。このベース１２の凹部１５に、バッグ１７に超微粒発泡ビーズ１８を封入した発泡ビーズクッション１１が充填されている。  【選択図】  図１
2006094885.tif 000002
【特許請求の範囲】
【請求項１】
人体と面する側の表面の少なくとも一部が、人体の寝姿勢に沿った曲面とされるベースと、固体潤滑性をもつ粉体が集合されてなり、前記ベースの前記曲面上に配置される粉体集合体とを有することを特徴とするマットレス。
【請求項２】
前記ベースは、人体に面する側の表面に凹部が形成されているものであり、該凹部の底面が前記曲面とされ、前記凹部に前記粉体集合体が充填されていることを特徴とする請求項１に記載のマットレス。
【請求項３】
前記粉体は、直径が０．２〜１．４ｍｍとされる発泡樹脂粒子であることを特徴とする請求項１又は２に記載のマットレス。
【請求項４】
前記粉体集合体は、弾性を有する生地により構成されるバッグに前記粉体が封入されてなるクッション体であることを特徴とする請求項１ないし３のいずれか１項に記載のマットレス。
【請求項５】
前記バッグには、該バッグ内の領域を分断する隔壁が形成されており、分断されるそれぞれの領域に前記粉体が封入されていることを特徴とする請求項４に記載のマットレス。
【発明の詳細な説明】
【技術分野】
【０００１】
本発明は、マットレスに関するものである。
【背景技術】
【０００２】
近年、快適な睡眠を実現するための寝具の開発が進められており、使用者の体圧を適度に分散することができるウォータベッド等が知られている。そのほかにも、より快適な睡眠を実現するための寝具として、例えば特開２００３−０００３９１号公報（特許文献１）に開示されているベッドがある。該特許文献１に開示されているベッドは、軟質なシート状バッグ内に粉体を充填封入させ、利用者の体型および体重に応じてバッグの変形を可能とすることにより、ウォータベッドのような優れた体圧分散性を確保するものである。粉体の固体潤滑により、バッグ内に封入される粉体同士の相対的な移動を可能とし、バッグが自在に変形することで、高い体圧分散性を確保することができる。また、バッグ内に封入するものとして粉体を採用することで、ウォータベッドに比べて荷重を低減することができる。
【０００３】
一方、快適な睡眠を得るためには、上記のような体圧分散性を確保することとともに、寝姿勢がうまく保たれているかどうかということも重要である。寝姿勢がうまく保たれていないと、疲労が回復しなかったり、逆に疲労が蓄積したりといった不具合が生じることがある。ここで、使用者の寝姿勢を、通常の水平状態から積極的に変化させようとする寝具としては、例えば、下記非特許文献１に示されているものを例示することができる。非特許文献１には、使用者が寝る側の面が、使用者の身長方向に沿って波型となっているマットレスが示されている。この非特許文献１によれば、マットレスの上半身部と下半身部とを、この波型の面が対向するように折りたたんで重ねることで収容が容易であるとともに、使用時には使用者の寝姿勢が波型の面に沿うことになるためリラックスできる旨が主張されている。
【特許文献１】特開２０００−０００３９１号公報
【非特許文献１】通販カタログ「ニッセン」、０４年７月号、
【発明の開示】
【発明が解決しようとする課題】
【０００４】
しかしながら、上記特許文献１に開示されている技術においては、体圧分散性は十分に確保されているが、適した寝姿勢を保てないという問題がある。つまり、特に荷重が掛かる臀部と背中においては、バッグが過剰に変形することで沈み込みが深くなり、それとは逆に荷重が比較的掛からない頭部や下肢部においては、沈み込みが浅くバッグの変形が比較的少なくなるため、仰臥姿勢の寝姿勢が「くの字」に曲がることになり、無理のある寝姿勢となってしまう。また、体圧分散性を向上させるために粉体の固体潤滑性を良好にすると、使用者の体が全体としてバッグ内に沈み込みやすくなり、寝返りしにくくなる。寝返りができないと、常に同じ筋肉を使って寝ていることになり体力を消耗してしまう。一方、寝返りがしやすいように粉体の固体潤滑性を抑制すると、体圧分散性がその分低下することになり、当該技術の本来の目的を実現することができない。このように、特許文献１の技術によれば、「良好な体圧分散性」と「無理のない寝姿勢の確保」及び「寝返りのしやすさ」を同時に実現できないというジレンマがある。
【０００５】
一方、上記非特許文献１に示されているマットレスにおいては、使用者に対面する側の面が波型となっているとはいっても、その波型のラインが折り畳み収容時のデザイン形状を優先して考えられているため、必ずしも適した寝姿勢を確保することができるとはいえない。つまり、使用者と対面する側の面は単純な波型であり、どこで臀部や背中及び下腿部を支えるのか不明確である。さらに、当該マットレスは使用者と対面する側の面がウレタンフォームで形成されているため、波形ラインが形成されているといっても十分な体圧分散性を実現できているとは言い難い。特に、身体の幅方向における体圧分散性に関しては全く考慮されていない。
【０００６】
本発明は、以上のような現状を鑑みてなされたものであり、良好な体圧分散性と、無理のない寝姿勢と、寝返りのしやすさとを同時に実現することができるマットレスを提供することを課題とする。
【課題を解決するための手段】
【０００７】
上記課題を解決するために、本発明のマットレスは、表面側に凹部が形成され、該凹部の底面が人体の寝姿勢に沿った曲面とされているベースと、固体潤滑性をもつ粉体が集合されてなり、前記ベースの凹部に充填される粉体集合体とを有することを特徴とする。
【０００８】
さらに、前記ベースは、人体に面する側の表面に凹部が形成されているものであり、該凹部の底面が前記曲面とされ、前記凹部に前記粉体集合体が充填されているものとすることができる。また、前記粉体は、直径が０．２〜１．４ｍｍとされる発泡樹脂粒子であるものとすることができる。また、前記粉体集合体は、弾性を有する生地により構成されるバッグに前記粉体が封入されてなるクッション体であるものとすることができる。また、前記バッグには、該バッグ内の領域を分断する隔壁が形成されており、分断されるそれぞれの領域に前記粉体が封入されているものとすることができる。
【発明の効果】
【０００９】
上記のような本発明のマットレスの構成によれば、使用者が当該マットレスを使用して寝るときの寝姿勢は、ベースの人体に面する側の表面に形成されている曲面に沿うものとなる。ここで、前記曲面は、一般的な寝姿勢の寝具に対向する側の表面形状に近似する曲面である。具体的には、ある特定の共通条件を備えた複数の被験者の仰臥状態における寝姿勢の形状を測定して、得られる複数の寝姿勢のうち寝具に対向する側（背中側）の表面形状の平均的な形状を取得し、この形状を前記曲面の形状とすることができる。ある特定の共通条件とは、性別、身長、体重等やこれらの組み合わせを例示することができる。
【００１０】
このように、前記曲面は人体の寝姿勢の一般的な形状に沿うものとされているので、使用者の寝姿勢が人体の一般的な寝姿勢から大幅にずれることはない。したがって、無理のない寝姿勢を自然にとることができる。また、表面の少なくとも一部が上記のような曲面となっているので、該凹部に配置される粉体集合体は人体のより広範囲にフィットすることになり、優れた体圧分散性を得ることができる。
【００１１】
さらに、粉体集合体は、固体潤滑性を有する粉体が集合してなるものであるので、人が寝たときの外力により、固体潤滑性を有する粉体が流動することで、人体形状に馴染むように粉体集合体が変形する。そのため、人体のより広範囲の部分、つまり細部にまで粉体集合体が接触するようになるので、さらに優れた体圧分散性を得ることができる。したがって、血行不良等を抑制して快適な睡眠を実現することができる。
【００１２】
ここで、粉体集合体は、マットレスの大部分を構成する部材ではなく、ベースの表面に形成されている上記曲面上に単に配置されているものであるので、人体の荷重により人体形状に馴染むように変形するとはいっても、その変形許容範囲はある程度制限されている。したがって、人体が埋もれるまで過剰に粉体集合体が変形することはなく、無理のない寝姿勢を阻害することがない。同様に、人体が粉体集合体に埋もれることがなく、かつ、粉体集合体の下にベースが配置されてうるので使用者が寝返りを打つ際に、使用者が荷重をかけてもベースがその荷重を受け止めるので、従来の固体潤滑性を有する粉体を用いた寝具と比較して寝返りがしやすくなる。なお、無理のない寝姿勢や寝返りのしやすさ等が最適な条件となるように、粉体集合体の大きさ（特に厚さ）や粉体の固体潤滑性等を調整することができる。
【００１３】
また、粉体集合体の作用は、前記ベースの表面に形成される曲面により規定される一般的な寝姿勢から実際の寝姿勢が上下にずれる箇所においても、人体形状に馴染むように変形することで、人体の前記曲面に面する側の細部にも粉体集合体を接触させることにより、ベースの表面に形成される曲面のみでは限界のある体圧分散性の向上をさらに高めることともいえる。つまり、粉体集合体の作用は、一般的な人体の寝姿勢と実際の寝姿勢とのずれにより生じる前記曲面と人体との間の隙間を埋もれることとみなすこともできる。
【００１４】
また、前述したように、ベースの人体に面する側の表面に凹部を形成し、該凹部に粉体集合体を充填すれば、粉体集合体の変形が凹部の深さや幅によって制限されることになる。そのため、粉体集合体が過剰に変形することを抑制することで、人体が粉体集合体に埋もれたり、寝返りがしにくくなったりすることを防止することができる。また、凹部に粉体集合体を充填することで、粉体集合体を前記曲面に配置する際の位置決めが容易である。
【００１５】
また、前述したように、粉体としては、固体潤滑性が良好な直径０．２〜１．４ｍｍの発泡樹脂粒子を採用することができる。このような粉体を使用することにより、人体の荷重により外力が加えられたときに、該粉体が滑らかに流動して粉体集合体の変形がスムーズに行われるため、より快適な寝心地を実現することができる。
【００１６】
また、前述のように、粉体を弾性を有する生地により構成されるバッグに封入して粉体集合体とすることで、粉体集合体の扱いが容易となる。さらに、該バッグにより粉体の移動範囲がさらに制限されるため、粉体集合体の変形許容範囲がさらに制限されることになる。そのため、前述したように無理のない寝姿勢を確保しやすくなるとともに、寝返りのしやすさをさらに向上させることができる。ここで、バッグは単数でも複数でもよい。単数のバッグに粉体を封入する場合は粉体集合体も単数であるが、複数のバッグに粉体を封入する場合は、バッグと同数の粉体集合体が形成される。バッグあるいは粉体集合体の数は、例えば１つ、２つ、３つ、４つ、５つ、及び５つ以上を例示することができる。
【００１７】
さらに、バッグを構成する弾性を有する生地としては、伸縮性を有するストレッチ素材を好適に採用することができる。ストレッチ素材を採用すれば、粉体集合体に外力を加えたときには、粉体の移動に沿って滑らかに生地が伸縮するので、粉体集合体の変形を阻害することがない。一方、粉体集合体に外力が働かなくなると、元のバッグの形状に復元しようとするため、バッグの形がくずれることがない。
【００１８】
また、前述したように、バッグ内に隔壁を形成して、この隔壁により分断されるバッグの内のそれぞれの領域に粉体集合体を充填することで、粉体の移動範囲がさらに制限されることになる。すなわち、粉体集合体の変形許容範囲をさらに制限することで、過剰な粉体集合体の変形を抑制し、人体が粉体集合体に埋もれにくくすることができる。さらに、外力が掛かったときの粉体の移動範囲が狭いので、人体からの荷重が働かなくったときには、バッグを構成する生地の弾性復帰により元の位置に粉体が戻ってきやすくなる。そのため、外力が働いていないときのバッグの形状を一定にしやすくなり、より見栄えのよいものとなる。なお、隔壁は、人体の身長方向とは略垂直な方向に沿って形成されているのがよい。人体は幅方向に比べて身長方向のほうが一般的に長いので、人体からの荷重により、人体の身長方向に比較的粉体が移動すると考えられるため、人体の身長方向における粉体の移動を制限することで、より効果的にバッグの復元を促すことができる。
【発明を実施するための最良の形態】
【００１９】
以下、添付の図面を参照しつつ、本発明のマットレスの実施形態について説明する。図１は、本発明の一実施形態を示すマットレス１０である。図１に示すマットレス１０は、ベース１２と、粉体集合体としての発泡ビーズバッグ１１と、これらベース１２と発泡ビーズバッグ１１とを覆う外装体１３とにより構成されている。ベース１２の人体に面する側の表面には、凹部１５が形成されており、該凹部の底面が波型状の曲面形状を有するようになっている。後にくわしく説明するが、この凹部の底面は人体の一般的な寝姿勢に近似する形状とされている。このベース１２に形成されている凹部１５に発泡ビーズバッグ１１が充填され、ベース１２の凹部１５の底面である曲面１４上に発泡ビーズバッグ１１が配置されるようになっている。外装体１３は、ベース１２の凹部１５に発泡ビーズバッグ１１が配置された状態で当該ベース１２と発泡ビーズバッグ１１とを共に覆うようになっている。
【００２０】
図２は、ベース１２の人体の身長方向に沿う断面形状を示すものである。図２に示すように、ベース１２の凹部１５底面には曲面１４が形成されている。この曲面１４は、人体の寝姿勢の一般的な形状に近似した曲面であり、図２の場合、特に一般男性の仰臥状態における寝姿勢の平均形状を示すものである。本実施形態においては、曲線１４は、頭の先から足の先までにいたる人体の寝姿勢のすべての形状に対応するものではなく、頭部及び脛から下の足部の形状には対応していない。つまり、ベース１２の凹部１５底面に形成される曲面１４は、人体の仰臥状態における寝姿勢の、首から背中、腰、臀部、太腿部、膝の裏、ふくらはぎに至る形状に対応している。具体的には、図２に示すベース１２のＡ部において頭部が支えられ、Ｇ部において脛から下の足部が支持される。これらＡ部及びＧ部は、ベース１２に形成されている凹部１５底面に形成されているものではなく、ベース１２の人体に面する側の表面１６のうち凹部１５に連続する部分に形成されており、本実施形態の場合、平坦面とされている。一方、凹部１５の底面である曲面１４には、Ｂ〜Ｆ部が形成されている。Ｂ部が人体の背中に対面する部分であり、Ｃ部が人体の腰部に対面する部分であり、Ｄ部が人体の臀部に対面する部分であり、Ｅ部が人体の太腿部に対面する部分であり、Ｆ部が人体のふくらはぎに対面する部分である。
【００２１】
この曲面１４の形状を決定するには、次のような方法を例示することができる。つまり、ある特定の共通条件を有する複数の被験者の寝姿勢を測定し、その条件における人体の寝姿勢形状パターンを複数取得する。この寝姿勢形状パターンは、図形として取得してもよいし、測定値として取得することもできる。そして、これら複数の寝姿勢形状パターンから、その条件における平均的な寝姿勢形状を算出して、この平均的な寝姿勢形状を曲面１４に採用することができる。このとき、寝姿勢形状は、性別や年齢、あるいは身長や体重等によって、ばらつきがあることが考えられるので、例えば、成人男性で身長が１６０〜１７０ｃｍの被験者を対象とするように条件を絞り込むことで、この条件に当てはまる使用者に対してより無理のない寝姿勢の実現を提供することができる。なお、他の条件においても、同様の方法により複数の寝姿勢を取得することで、各条件に一般的な寝姿勢形状を算出し、曲面１４の形状とすることができる。
【００２２】
ベース１２は発泡ウレタンにより構成することができるが、これに限られるものではない。その他、マットレスのベースとして通常使用することができる材料を、採用することができる。
【００２３】
次に、発泡ビーズクッション１１について説明する。図３は発泡ビーズクッション１１を示すものである。図４は、図３の発泡ビーズクッション１１の人体の身長方向に沿う断面図を示すものである。また、図５は、図４の一部を拡大して示すものである。図５に示されているように、発泡ビーズクッション１１は、バッグ１７の内部に粉体として発泡樹脂粒子１８（以下、発泡ビーズ１８とする）が充填されているものである。さらに、発泡ビーズクッション１１の内部は隔壁１９により分断されており、発泡ビーズクッション１１の隔壁１９により分断される領域のそれぞれに発泡ビーズ１８が充填されている。この隔壁１９により分断された領域を単位胞２０として、この単位胞２０が、図３に示すように連続的に連結して、本実施形態に係る発泡ビーズクッション１１が形成されている。なお、隔壁１９は、人体の身長方向に略垂直な方向、つまり人体の幅方向に沿って形成されている。しかし、これに限られるものではなく、人体の身長方向に沿って形成される隔壁を組み合わせることもできる。つまり、本実施形態においては、単位胞２０が人体の幅方向に沿う柱状形状とされているが、人体の幅方向にも隔壁を形成して、単位胞２０をブロック形状とすることも可能である。また、隔壁１９は、バッグ１７を構成する生地と同様のもので構成し、それらの生地を縫合することにより形成することができる。
【００２４】
発泡ビーズ１８は、平均直径が０．２〜１．４ｍｍである超微粒子発泡ビーズを採用することができる。より望ましくは、平均直径０．３〜０．５ｍｍの発泡ビーズを使用することができる。粉体集合体としての発泡ビーズクッション１１の変形をより滑らかにすることができる。
【００２５】
発泡ビーズ１８の材料としては、ポリスチレン系発泡樹脂、ポリエチレン系発泡樹脂、ポリプロピレン系発泡樹脂等を例示することができる。これらのうちでもポリスチレン系発泡樹脂が、固体潤滑性が良好であることもあって好適に採用することができる。
【００２６】
また、発泡ビーズ１８を収容するバッグ１７の材質としては、弾性を有し伸縮性に富むものを好適に採用することができる。具体的にはストレッチ素材を採用することができる。さらにその繊維としては、ポリウレタン繊維及びポリエステル繊維を含むものを好適に使用することができる。このようなバッグ１７を採用することで、発泡ビーズクッション１１内の発泡ビーズ１８が流動したときに、発泡ビーズクッション１１の変形を滑らかに行うことができ、寝心地がよいものとなる。なお、隔壁１９もバッグ１７と同様の材質のものを採用することができる。
【００２７】
また、発泡ビーズクッション１１の形状としては、人体からの荷重により発泡ビーズクッション１１の変形が過剰とならないように、適宜設定することができる。具体的には、発泡ビーズクッション１１の厚さは、当該発泡ビーズクッション１１上に使用者が仰向けになったときに、使用者の特に臀部が沈み込まない程度に薄くしておく必要がある。一方、どのような体型の使用者が仰臥しても、体圧分散性が十分に維持される程度の厚さは確保できるような厚さにしておく必要がある。具体的には、発泡ビーズクッション１１の厚さを４０〜１００ｍｍとすることができる。
【００２８】
このような発泡ビーズクッション１１をベース１２の凹部１５内に配置して、その状態で、図１に示す外装体１３に封入することで、本実施形態のマットレス１０を得ることができる。
【００２９】
以下に、本実施形態のマットレス１０の作用について説明する。図６は、本実施形態のマットレス１０を使用した状態を説明するものである。図７は、図６におけるＡ−Ａ断面図およびＢ−Ｂ断面図を示すものである。なお、図６は、外装体１３をはずした状態のマットレス１０に、仰臥状態で使用者（具体的には成人男性）が寝た状態を示すものである。図６に示すように、使用者Ｈは、マットレス１０のベース１２のＡ部に対応する位置に枕２１を配置し、その上に頭部をのせるかたちで、マットレス１０の上に仰臥姿勢をとることになる。このとき、前述したように、ベース１２の凹部１５底面に形成される曲面１４は、成人男性の一般的は仰臥状態での寝姿勢の形状とされているので、図６に示すように、使用者Ｈの寝姿勢は当該成人男性の一般的な寝姿勢に沿うことになる。そのため、無理のない寝姿勢を自然にとることができる。
【００３０】
さらに、この曲面１４の上に所定厚さの発泡ビーズクッション１１が配置されているので、この発泡ビーズクッション１１内部の発泡ビーズが使用者Ｈからの荷重により移動して、発泡ビーズクッション１１が使用者Ｈの体に馴染む様に変形する。これにより、使用者Ｈと発泡ビーズクッション１１とがより広範囲で接触することになり、体圧分散性を向上させることができる。
【００３１】
また、発泡ビーズクッション１１は、図７に示す断面図に示されているように、人体の幅方向における凹凸にも対応して変形することから、曲面１４のみではどうしても対応できない人体の細部の凹凸にも発泡ビーズクッション１１を接触させることができるため、優れた体圧分散性を実現することができる。
【００３２】
一方、優れた体圧分散性を実現することができるにもかかわらず、発泡ビーズクッション１１の変形はある程度抑制されていることから、発泡ビーズクッション１１に使用者Ｈが埋もれることがなく、無理のない寝姿勢を維持することができる。また、発泡ビーズクッション１１の下には、人体からの荷重を受けたときに、変形を最小限にしてその荷重を受け止めるベース１２が配置されているので、寝返りも打ちやすい。
【００３３】
さらに、発泡ビーズクッション１１には、その人体の身長方向とは垂直な方向に沿って複数の隔壁１９が形成されているので、発泡ビーズ１８の移動が制限されることになり、人体の沈み込みをより一層抑制することができる。また、隔壁１９として弾性を有する伸縮性に富んだ生地を使用しているので、人体からの荷重がかからなくなると発泡ビーズクッション１１が復元し、非使用時の見栄えもよいものとなる。
【００３４】
以上、本発明の実施形態について、その一例を説明したが、本発明のマットレスは、これに限られるものではない。例えば、上記実施形態においては、図３、図４、図５に示すような発泡ビーズクッション１１を採用しているが、この発泡ビーズクッション１１に代えて、図８に示すような発泡ビーズクッション２２を採用することもできる。図８に示す発泡ビーズクッション２２は、発泡ビーズを封入するバッグ２３をチューブ状に縫合して得られる単位胞２４に、それぞれ発泡ビーズ１８を封入して、その単位胞２４の側面同士がつながるように、当該単位胞２４を人体の身長方向に沿って連結したものである。このような発泡ビーズクッション２２であっても、人体と面する側の表面が波型になっているが、人体からの荷重により発泡ビーズクッション２２が容易に変形するので、最終的には人体の広範囲にフィットし、十分な体圧分散性を確保することができる。
【００３５】
また、図１に示す実施形態においては、外装体１３はベース１２と発泡ビーズクッション１１との両者を覆うように形成されているが、外装体１３によりベース１２のみを覆い、外装体１３により覆われたベース１２の凹部に発泡ビーズクッション１１を配置するようにしてもよい。このとき、発泡ビーズクッション１１は、マットレス１０の外部に露出することになるので、発泡ビーズクッション１１のバッグ１７としては、意匠性に優れたものを選択することが望ましい。なお、外装体１３がなくても、本発明のマットレスの効果は十分に得ることができる。
【００３６】
また、本実施形態においては、粉体集合体は、一つの発泡ビーズクッション１１により構成されているが、複数個の発泡ビーズクッション１１をベース１２の凹部１５内に配置するようにしてもよい。このとき、発泡ビーズクッション１１を３個として、それぞれの発泡ビーズクッション１１を人体の身長方向に並べて配置することができる。この場合、それぞれの発泡ビーズクッション１１の切れ目が、腰（図２のＣ部に対応）及び膝の裏（図２のＥ’部に対応）に位置するようにするのが望ましい。これらの箇所における人体からの荷重は比較的少ないからである。
【００３７】
さらに、本実施形態の説明においては、発泡ビーズクッション１１、２２を構成する単位胞２０、２４は、均一な形状及び大きさとされているが、これに限られるものではない。図２に示すような湾曲する曲面１４上に発泡ビーズクッション１１、２２を配置すると、発泡ビーズクッション１１、２２の人体に面する側の表面も、曲面１４に応じて湾曲するが、これを解消するために、人体の身長方向に並ぶ各単位胞２０、２４の形状や大きさを変化その表面が平坦に見えるので、意匠性に優れる。
【００３８】
また、本実施形態においては、ベース１２として、単体のものを例示しているが、本発明はこれに限られるものではない。例えば、図９に示すように、凹部１２ｃが形成されているベース本体１２ｂと、該ベース本体１２ａの凹部１２ｃに収容されるとともに、使用者に対面する側に人体の寝姿勢に沿った曲面１２ｄが形成されている曲面形成部材１２ａとを有するものを例示することができる。ベース１２を単体で形成した場合には、図１に示す凹部１５に粉体集合体としての発泡ビーズクッション１１を充填すると、発泡ビーズクッション１１がベース１２の凹部の側面を押圧し、凹部１５の底面である曲面１４の形状が変化してしまう場合がある。一方、図９に示すように、ベース１２をベース本体１２ｂと曲面形成部材１２ａとで構成するようにすると、発ビーズクッション１１がベース１２の凹部の側面を押圧しても、その影響が直接曲面１２ｄに作用することはないので、曲面１２ｄの変形を抑制することができる。
【００３９】
なお、以上のような変形例のほかにも、当業者が容易に想到できる範囲で各種変更を加えることができる。
【図面の簡単な説明】
【００４０】
【図１】本発明に係るマットレスの一例を示す図。
【図２】本実施形態に係るベースの断面図。
【図３】本実施形態に係る発泡ビーズクッションの一例を示す図。
【図４】図３に示す発泡ビーズクッションの断面図。
【図５】図４の断面図の一部を拡大して示す図。
【図６】本発明のマットレスの作用を説明するための図。
【図７】図６のＡ−Ａ断面及びＢ−Ｂ断面を示す図。
【図８】図３とは異なる発泡ビーズクッションの一例を示す図。
【図９】本発明にかかるベースの変形例を示す図。
【符号の説明】
【００４１】
１０  マットレス
１１、２２  発泡ビーズクッション（粉体集合体）
１２  ベース
１３  外装体
１４、１２ｄ  曲面
１５  ベースの凹部
１７、２３  バッグ
１８  発泡ビーズ（粉体、発泡樹脂粒子）
１９  隔壁
【図１】
2006094885.tif 000003
【図２】
2006094885.tif 000004
【図３】
2006094885.tif 000005
【図４】
2006094885.tif 000006
【図５】
2006094885.tif 000007
【図６】
2006094885.tif 000008
【図７】
2006094885.tif 000009
【図８】
2006094885.tif 000010
【図９】
2006094885.tif 000011